(57)【特許請求の範囲】
【請求項１】
被写体画像を撮像し、画像信号を出力する撮像部と、
第１指示を受け付ける操作部と、
前記撮像部の第１領域から出力される画像信号に基づいて動画像を記録する記録制御部と、
前記記録制御部が前記動画像を記録しているときに、前記操作部が前記第１指示を受け付けていない場合には前記撮像部の前記第１領域から出力される画像信号に基づく画像を表示部に表示させ、前記操作部が前記第１指示を受け付けている場合には前記撮像部の第２領域から出力される画像信号に第１画像処理を施した画像を前記表示部に表示させる表示制御部と、を備え、
前記記録制御部は、前記操作部が第２指示を受け付けた場合には、前記第２領域から出力される画像信号に対して、前記第１画像処理とは異なる第２画像処理が施された画像を記録する
ことを特徴とする電子カメラ。
【請求項２】
請求項１に記載の電子カメラにおいて、
前記第２領域は前記第１領域を含むことを特徴とする電子カメラ。
【請求項３】
請求項１または２に記載の電子カメラにおいて、
前記記録制御部は、前記第２領域から出力された画像信号を静止画像として記録する
ことを特徴とする電子カメラ。
【請求項４】
請求項３に記載の電子カメラにおいて、
前記第２領域の画像を前記第１領域と同じ領域の画像に変換する領域変換部を更に有し、
前記記録制御部は、前記撮像部が撮影中に前記操作部が操作されている場合に、前記第１領域の画像および前記領域変換部が変換した前記第１領域と同じ領域の画像とを時系列順に第１記録画像として記憶媒体に記録させる
ことを特徴とする電子カメラ。
【請求項５】
請求項４に記載の電子カメラにおいて、
前記記録制御部は、前記操作部に前記第２指示が与えられた場合に前記第２領域の画像を第２記録画像として記憶媒体に記録し、
前記記憶媒体に記録された前記第２記録画像と、前記第２領域の記録用の画像を撮影するための前記第２指示が与えられる直前の前記第２領域の画像とのずれ量が閾値以上の場合に警告を出力する警告部を更に設けた
ことを特徴とする電子カメラ。
【請求項６】
請求項１から５のいずれか一項に記載の電子カメラにおいて、
前記表示制御部は、前記第１指示が与えられた場合に、前記第２領域の画像を前記表示部に表示する際に、前記第１領域部分を示す情報を前記表示部に表示させる
ことを特徴とする電子カメラ。
【発明の詳細な説明】
【技術分野】
【０００１】
本発明は、電子カメラに関する。
【背景技術】
【０００２】
近年、動画撮影中に静止画を撮影できる電子カメラが利用されている。ところが、動画と静止画のアスペクト比が異なる場合、モニタ表示や記録される動画データに異なるアスペクト比の画像が混在し、利用者に違和感を与えるという問題があった。そこで、動画と静止画のアスペクト比が異なっていても利用者に違和感を与えないようにする技術が検討されている（例えば特許文献１）。
【先行技術文献】
【特許文献】
【０００３】
【特許文献１】特開２００７−２２１４５１号公報
【発明の概要】
【発明が解決しようとする課題】
【０００４】
従来、動画撮影中に動画撮影用の撮影領域とは異なる静止画撮影用の撮影領域を確認できなかった。
【０００５】
本発明の目的は、動画撮影と静止画撮影とで撮影領域が異なる場合でも、違和感なく動画撮影中に撮影しようとする静止画撮影用の画角を確認できる電子カメラを提供することである。
【課題を解決するための手段】
【０００６】
本発明に係る電子カメラは、被写体画像を撮像し、画像信号を出力する撮像部と、第１指示を受け付ける操作部と、前記撮像部の第１領域から出力される画像信号に基づいて動画像を記録する記録制御部と、前記記録制御部が前記動画像を記録しているときに、前記操作部が前記第１指示を受け付けていない場合には前記撮像部の前記第１領域から出力される画像信号に基づく画像を表示部に表示させ、前記操作部が前記第１指示を受け付けている場合には前記撮像部の第２領域から出力される画像信号に第１画像処理を施した画像を前記表示部に表示させる表示制御部と、を備え、前記記録制御部は、前記操作部が第２指示を受け付けた場合には、前記第２領域から出力される画像信号に対して、前記第１画像処理とは異なる第２画像処理が施された画像を記録することを特徴とする。
【０００７】
特に、前記第２領域は前記第１領域を含むことを特徴とする。
また、前記記録制御部は、前記第２領域から出力された画像信号を静止画像として記録することを特徴とする。
【０００８】
また、前記第２領域の画像を前記第１領域と同じ領域の画像に変換する領域変換部を更に有し、前記記録制御部は、前記撮像部が撮影中に前記操作部が操作されている場合に、前記第１領域の画像および前記領域変換部が変換した前記第１領域と同じ領域の画像とを時系列順に第１記録画像として記憶媒体に記録させることを特徴とする。
【０００９】
或いは、前記記録制御部は、前記操作部に前記第２指示が与えられた場合に前記第２領域の画像を第２記録画像として記憶媒体に記録し、前記記憶媒体に記録された前記第２記録画像と、前記第２領域の記録用の画像を撮影するための前記第２指示が与えられる直前の前記第２領域の画像とのずれ量が閾値以上の場合に警告を出力する警告部を更に設けたことを特徴とする。
【００１０】
また、前記表示制御部は、前記第１指示が与えられた場合に、前記第２領域の画像を前記表示部に表示する際に、前記第１領域部分を示す情報を前記表示部に表示させることを特徴とする。
【発明の効果】
【００１２】
動画撮影と静止画撮影とで撮影領域が異なる場合でも、違和感なく動画撮影中に撮影しようとする静止画撮影用の画角を確認することができる。
【図面の簡単な説明】
【００１３】
【図１】電子カメラ１０１の構成を示すブロック図である。
【図２】各画像のアスペクト比の一例を示す説明図である。
【図３】動画撮影時の処理の流れを示すフローチャートである。
【図４】表示画像，動画記録画像および静止画記録画像のフレーム例を示す説明図である。
【図５】静止画撮影時の遅延の様子を示す説明図である。
【図６】応用例１の処理の流れを示すフローチャートである。
【図７】応用例２の処理の流れを示すフローチャートである。
【発明を実施するための形態】
【００１４】
以下、本発明に係る電子カメラ１０１の実施形態について、図面を用いて詳しく説明する。
【００１５】
［電子カメラ１０１の構成］
図１は、本実施形態に係る電子カメラ１０１の構成を示すブロック図である。図１において、電子カメラ１０１は、レンズ部１０２と、ミラー部１０３と、メカニカルシャッタ１０４と、撮像素子１０５と、Ａ／Ｄ変換部１０６と、システムバス１０７と、バッファメモリ１０８と、制御部１０９と、表示部１１０と、メモリカードＩ／Ｆ１１１と、操作部１１２と、メモリ１１３とで構成される。尚、本実施形態に係る電子カメラ１０１は動画撮影と静止画撮影を行うことができ、特に動画撮影中に静止画撮影を行うことができるようになっている。
【００１６】
レンズ部１０２は、絞り１０２ａやフォーカスレンズなどで構成される。そして、絞り１０２ａの絞り値やフォーカスレンズのフォーカス位置は、制御部１０９によって制御される。
【００１７】
ミラー部１０３は、レンズ部１０２から入射する被写体光を光学ファインダ側に反射させる位置（図１の実線位置）と、被写体光をそのまま撮像素子１０５側に通す位置（図１の点線位置）の２つの位置に移動するための駆動機構を有する。そして、この駆動機構は制御部１０９によって制御される。
【００１８】
メカニカルシャッタ１０４は、制御部１０９によって制御され、静止画撮影時に撮影モードや露出条件に応じたシャッタ速度で開閉される。
【００１９】
撮像素子１０５は、例えばＣＭＯＳ型のイメージセンサで構成され、受光面に複数の光電変換部が二次元行列状に配置されている。そして、各光電変換部は受光量に応じたアナログの電気信号に変換してＡ／Ｄ変換部１０６に出力する。尚、複数の光電変換部から電気信号を読み出すタイミングや読み出す領域などは制御部１０９によって制御される。特に本実施形態では、動画のアスペクト比と静止画のアスペクト比が異なる場合の処理を前提としており、例えば制御部１０９は動画撮影時に１６：９のアスペクト比になるように撮像素子１０５から読み出す領域を指定し、静止画撮影時に４：３のアスペクト比になるように撮像素子１０５から読み出す領域を指定する。ここで、本実施形態では、撮像素子１０５，動画および静止画のアスペクト比は、図２に示すような関係にあるものとする。
【００２０】
例えば図２（ａ）は撮像素子１０５のアスペクト比が４：３の場合を示し、垂直方向の解像度（画素数）はｈ１で、水平方向の解像度（画素数）はｗ１である。尚、画素が正方形であるとすると、ｗ１：ｈ１＝４：３のアスペクト比で表すことができる。
【００２１】
図２（ｂ）は動画のアスペクト比が１６：９の場合を示し、垂直方向の解像度（画素数）はｈ２で、水平方向の解像度（画素数）はｗ１である。従って、撮像素子１０５の垂直方向の画素数ｈ１よりも動画の垂直方向の画素数ｈ２の方が少ないので、横長の１６：９のアスペクト比の画像が撮影される。
【００２２】
図２（ｃ）は静止画のアスペクト比が４：３の場合を示し、垂直方向の解像度（画素数）はｈ１で、水平方向の解像度（画素数）はｗ１である。尚、この場合の静止画は、撮像素子１０５の全画面を読み出した時の画像に対応する。
【００２３】
ここで、図２（ａ），図２（ｂ）および図２（ｃ）において、垂直方向の解像度ｈ１，ｈ２は行数に対応し、水平方向の解像度ｗ１は列数に対応する。
【００２４】
Ａ／Ｄ変換部１０６は、制御部１０９から与えられるタイミングに応じて、撮像素子１０５から読み出されるアナログの電気信号を画素毎にデジタルデータに変換する。そして、Ａ／Ｄ変換部１０６で変換されたデジタルデータは、システムバス１０７を介してバッファメモリ１０８に一時的に記憶される。
【００２５】
システムバス１０７は、Ａ／Ｄ変換部１０６，バッファメモリ１０８，制御部１０９，表示部１１０，メモリカードＩ／Ｆ１１１およびメモリ１１３の各ブロック間を接続し、各ブロック間で相互にデータや制御信号の入出力を可能にする。
【００２６】
バッファメモリ１０８は、揮発性の高速メモリなどで構成され、Ａ／Ｄ変換部１０６が出力する画像データを一時的に記憶する。
【００２７】
制御部１０９は、先に説明したように、レンズ部１０２，ミラー部１０３，メカニカルシャッタ１０４，撮像素子１０５およびＡ／Ｄ変換部１０６などを制御する。また、制御部１０９は、操作部１１２が出力する操作情報に応じて電子カメラ１０１の各部を制御する。或いは、制御部１０９は、システムバス１０７を介してバッファメモリ１０８に記憶された画像データに対して画像処理を施したり、表示部１１０にメニュー画面や撮影画像などを表示する。また、画像処理後の画像データをメモリカードＩ／Ｆ１１１を介してメモリカード１１１ａに保存したり、メモリカード１１１ａに保存されている撮影済みの画像データを読み出して表示部１１０に表示する。特に本実施形態に係る電子カメラ１０１では、制御部１０９は、動画撮影中に動画とは異なるアスペクト比の静止画撮影を行う際に、撮影しようとしている静止画の画角を表示部１１０で確認できるように撮像素子１０５から読み出す領域を切り替える。尚、動画撮影中に静止画撮影を行う処理については後で詳しく説明する。
【００２８】
表示部１１０は、液晶モニタなどで構成され、制御部１０９によってメニュー画面や動画および静止画が表示される。
【００２９】
メモリカードＩ／Ｆ１１１は、メモリカード１１１ａを装着するためのコネクタを有し、システムバス１０７を介して入力される画像データをメモリカード１１１ａに書き込んだり、メモリカード１１１ａに記憶されている画像データを読み出してシステムバス１０７に出力する。
【００３０】
操作部１１２は、電子カメラ１０１の電源ボタン１１２ａ，動画ボタン１１２ｂ，レリーズボタン１１２ｃなどの複数の操作ボタンで構成される。例えば、レリーズボタン１１２ｃが押下されると静止画撮影を行い、動画ボタン１１２ｂが押下されると動画撮影を開始し、再度、動画ボタン１１２ｂが押下されると動画撮影を終了する。特に本実施形態に係る電子カメラ１０１では、動画ボタンを押下して動画撮影中にレリーズボタン１１２ｃが全押しされると、静止画撮影を行うことができる。ここで、レリーズボタン１１２ｃは半押し状態と全押し状態の２段階の操作ができるようになっており、半押し状態で撮影しようとする静止画の画角で表示部１１０に画像を表示する。これにより、撮影者は動画撮影を継続しながら静止画の画角を表示部１１０の画面で確認することができる。尚、レリーズボタン１１２ｃの半押しは撮影画角確認指示に対応する。
【００３１】
メモリ１１３は、不揮発性のメモリで構成され、電子カメラ１０１の動作に必要なパラメータなどが予め記憶されると共に、ユーザが設定した撮影モードや露出条件なども記憶される。
【００３２】
［制御部１０９の構成］
次に、制御部１０９の構成について詳しく説明する。図１に示すように、制御部１０９は、撮像制御部１５１と、表示制御部１５２と、記録制御部１５３と、領域変換部１５４と、警告部１５５とで構成される。
【００３３】
撮像制御部１５１は、撮像素子１０５による撮像を所定の時間間隔で連続して実行させ、撮像素子１０５から画像信号を読み出す領域（指定領域）を指定し、撮像素子１０５から指定領域の画像信号を読み出す。そして、読み出された画像信号は、バッファメモリ１０８に記憶される。この時、操作部１１２のレリーズボタン１１２ｃが押下されていない場合には指定領域として動画用の領域（第１領域）を設定し、レリーズボタン１１２ｃが押下された場合には指定領域として静止画用の領域（第２領域）を設定する。ここで、動画の領域は静止画の領域の一部であるものとする。
【００３４】
表示制御部１５２は、レリーズボタン１１２ｃの半押し（撮影画角確認指示）された場合に、静止画用の領域の画像を表示部１１０に表示するが、この時、動画領域部分を示す情報（枠など）を表示部１１０に表示する。これにより、ユーザは撮影しようとする静止画の画角と撮影中の動画の画角の両方を確認することができる。
【００３５】
記録制御部１５３は、動画撮影中に操作部１１２のレリーズボタン１１２ｃが半押しされた場合に、領域変換部１５４が変換した動画用の領域を撮影中の動画フレームと時系列順になるように挿入して、動画フレームとしてメモリカード１１１ａに記録する。また、記録制御部１５３は、操作部１１２のレリーズボタン１１２ｃが全押しされた場合に、バッファメモリ１０８に取り込まれた静止画をメモリカード１１１ａに記録する。
【００３６】
領域変換部１５４は、静止画用の領域（第２領域）の画像を動画用の領域（第１領域）と同じ領域の画像に変換する。つまり、図２（ｃ）の静止画の領域は垂直方向の行数がｈ１であるが、動画の垂直方向の行数はｈ２なので、行数ｈ１の中心部分の行数ｈ２部分を切り出して動画用の画像データを生成する。
【００３７】
警告部１５５は、メモリカード１１１ａに記録された静止画と、静止画を撮影する直前の動画フレームとのずれ量が閾値以上であるか否かを判別し、閾値以上の場合に警告を出力する。尚、警告は、アラーム音などの音声出力であっても構わないし、ＬＥＤなどを点滅させるようにしても構わない。或いは、表示部１１０にメッセージやマーカーを表示するようにしても構わない。
【００３８】
このようにして、制御部１０９は、動画撮影中に静止画撮影を行う場合の画角を表示部１１０で確認できる。さらに、静止画から切り出した動画の画角の動画データが記録されるので、動画再生時に急に画角が変化することなく、違和感のない動画を鑑賞することができる。
【００３９】
［電子カメラ１０１の動画撮影時の動作］
次に、本実施形態に係る電子カメラ１０１の動画撮影時の動作について図３を用いて説明する。図３は、動画撮影時の制御部１０９の動作を示すフローチャートである。尚、ユーザが操作部１１２の電源ボタン１１２ａを押下し、電子カメラ１０１は起動された状態にあるものとする。
【００４０】
（ステップＳ１０１）制御部１０９は、ユーザが操作部１１２の動画ボタン１１２ｂを押下したことを検出すると、ミラー部１０３を跳ね上げた状態にすると共にメカニカルシャッタ１０４を開放状態にする。そして、制御部１０９は、撮像素子１０５を電子シャッタで露出制御して動画撮影できる状態にする。尚、動画ボタン１１２ｂは、押す毎に動画撮影開始と終了とを交互に繰り返すよう制御部１０９によって制御される。
【００４１】
（ステップＳ１０２）制御部１０９の撮影制御部１５１は、撮像素子１０５の読み出しモードを第１領域に設定する。第１領域は、図２（ｂ）で説明したように、アスペクト比が１６：９の動画用の撮影領域に相当し、垂直方向の解像度（画素数）はｈ２で、水平方向の解像度（画素数）はｗ１である。尚、本実施形態では水平方向の解像度は動画と静止画で同じなので、撮像素子１０５から読み出す行数だけが動画と静止画とで異なる。また、動画の垂直方向の読み出し位置は、図２（ｂ）に示すように、撮像素子１０５の垂直方向の中央部分のｈ２本の行を読み出すものとする。
【００４２】
（ステップＳ１０３）制御部１０９の表示制御部１５２は、撮像素子１０５から読み出した第１領域の画像を表示部１１０に表示する。尚、撮像素子１０５から読み出された第１領域の動画データはバッファメモリ１０８に取り込まれ、制御部１０９によって所定の画像処理（例えばホワイトバランス処理，色補正処理，階調処理，エッジ強調処理および画像圧縮処理）などが施された後、表示部１１０に表示される。
【００４３】
ここで、以降の説明が分かり易いように、動画撮影時に撮影される動画や静止画および表示部１１０に表示される画像の様子を図４に示す。図４において、横軸を時間軸として、図４（ａ）は撮像素子１０５の読み出し領域（ＩＳ１からＩＳ６）を示し、図４（ｂ）は表示部１１０に表示される画像フレーム（ＦＬｄ１からＦＬｄ６）の様子を示し、図４（ｃ）はメモリカード１１１ａに記録される動画フレーム（ＦＬ１からＦＬ６）の様子を示している。また、図４（ｄ）は動画撮影中に撮影され、メモリカード１１１ａに記録される静止画（ＩＭＧ１）の様子を示している。尚、本実施形態に係る電子カメラ１０１は、図４（ａ）に示すように、レリーズボタン１１２ｃが半押し中または全押し時の画像（ＩＳ３，ＩＳ４およびＩＳ５）のみ撮像素子１０５から全画素読み出しを行うので、読み出し時間や処理時間など処理負荷を低減することができる。また、レリーズボタン１１２ｃが半押し中の画像（ＩＳ３，ＩＳ４）は単に表示部１１０の表示用の画像（ＦＬｄ３，ＦＬｄ４）として利用されるだけなので、動画フレームとして記録されるｈ２本の行以外の行（上下の（ｈ１−ｈ２）／２本の行）については、間引き読み出しを行っても構わない。これにより、更に処理負荷を低減することができる。
【００４４】
（ステップＳ１０４）制御部１０９の記録制御部１５３は、バッファメモリ１０８に取り込まれ、画像処理された動画データをメモリカードＩ／Ｆ１１１に装着されているメモリカード１１１ａに記録する。
【００４５】
（ステップＳ１０５）制御部１０９の撮影制御部１５１は、ユーザが操作部１１２を操作して静止画撮影併用モードを指定したか否かを判別する。ここで、静止画撮影併用モードとは、動画撮影中に静止画撮影を行うモードを意味する。本実施形態では、ユーザが操作部１１２のレリーズボタン１１２ｃの半押しされたか否かで静止画撮影併用モードが指定されたか否かを判別する。尚、レリーズボタン１１２ｃの半押しではなく、静止画撮影併用モードを指定するための専用ボタンを設けても構わないし、他のボタンと兼用しても構わない。
【００４６】
そして、ユーザがレリーズボタン１１２ｃを半押しした場合（Ｙｅｓ）はステップＳ１０６に進み、レリーズボタン１１２ｃを半押ししていない場合（Ｎｏ）はステップＳ１１５に進む。尚、ユーザがレリーズボタン１１２ｃをいきなり全押しした場合もステップＳ１０６に進む。
【００４７】
（ステップＳ１０６）制御部１０９の撮影制御部１５１は、撮像素子１０５の読み出しモードを第２領域に設定する。第２領域は、図２（ｃ）で説明したように、アスペクト比が４：３の静止画用の領域に相当し、垂直方向の行数はｈ１で、水平方向の行数はｗ１である。尚、本実施形態では、静止画の解像度は撮像素子１０５の解像度と同じなので、撮像素子１０５の全行全列が読み出される。尚、この時点では、静止画の本撮影は行われず、撮像素子１０５から読み出す領域を静止画と同じ領域に設定するだけである。
【００４８】
図４の例では、タイミングＴ１でレリーズボタン１１２ｃが半押しされた後の動画フレームＦＬ３，ＦＬ４と、表示部１１０に表示される画像フレームＦＬｄ３，ＦＬｄ４とに対応する。
【００４９】
（ステップＳ１０７）制御部１０９の表示制御部１５２は、撮像素子１０５から読み出した第２領域の画像を表示部１１０に表示する。尚、撮像素子１０５から読み出された第２領域の画像データはバッファメモリ１０８に取り込まれ、制御部１０９によって所定の画像処理（例えばホワイトバランス処理，色補正処理，階調処理，エッジ強調処理および画像圧縮処理）が施された後、表示部１１０に表示される。このようにして、撮影者は、撮影しようとする静止画の全画面を確認することができる。例えば図４の場合、被写体の「山」の頂上部分は表示用の画像フレームＦＬｄ１，ＦＬｄ２では確認できないが、レリーズボタン１１２ｃの半押し後の画像フレームＦＬｄ３，ＦＬｄ４では確認することができる。
【００５０】
ここで、制御部１０９の表示制御部１５２は、第２領域の画像を表示部１１０に表示する際に、第１領域の部分が判るように枠を表示する。例えば図４において、タイミングＴ１でレリーズボタン１１２ｃが半押しされた後で表示部１１０に表示される画像フレームＦＬｄ３に対応する。画像フレームＦＬｄ３の垂直方向の行数はｈ１で、動画フレームの垂直方向に対応する行数ｈ２の領域の上端と下端とに点線枠が表示されている。これにより、撮影者は動画と静止画の両方の画角を確認することができる。
【００５１】
（ステップＳ１０８）制御部１０９の撮影制御部１５１は、ユーザが操作部１１２を操作してレリーズボタン１１２ｃが全押しされたか否かを判別する。そして、ユーザがレリーズボタン１１２ｃを全押しした場合（Ｙｅｓ）はステップＳ１１０に進み、レリーズボタン１１２ｃを全押ししていない場合（Ｎｏ）はステップＳ１０９に進む。
【００５２】
（ステップＳ１０９）制御部１０９の撮影制御部１５１は、ユーザが操作部１１２のレリーズボタン１１２ｃを半押し状態のままにしているか否かを判別する。そして、レリーズボタン１１２ｃが半押し状態の場合（Ｙｅｓ）はステップＳ１１１に進み、レリーズボタン１１２ｃを半押し状態ではない場合（Ｎｏ）はステップＳ１１３に進む。尚、Ｎｏの場合は、ステップＳ１０８で全押し判別をしているので処理がユーザの操作よりも十分に速いと考えた場合、ユーザがレリーズボタン１１２ｃを離した状態に相当する。
【００５３】
（ステップＳ１１０）制御部１０９は、ミラー部１０３を図１の実線で描いた位置に下げると共にメカニカルシャッタ１０４を閉じる。さらに、制御部１０９は、光学ファインダ側に配置された測光センサ（不図示）の測光値に基づいて適正な露出条件（絞り１０２ａの絞り値やメカニカルシャッタ１０４のシャッタ速度など）を求める。そして、制御部１０９は、レンズ部１０２の絞り１０２ａを算出した絞り値に設定して、ミラー部１０３を点線位置に跳ね上げた後、メカニカルシャッタ１０４を算出したシャッタ速度で開閉して撮像素子１０５で静止画を撮影し、バッファメモリ１０８に取り込む。バッファメモリ１０８に取り込まれた静止画は、所定の画像処理が施された後、制御部１０９の記録制御部１５３によってメモリカード１１１ａに記録される。
【００５４】
例えば図４において、タイミングＴ２でレリーズボタン１１２ｃが全押しされると、アスペクト比がｈ１：ｗ１（４：３）の静止画ＩＭＧ１が撮影され、メモリカード１１１ａに記録される。尚、タイミングＴ２におけるレリーズボタン１１２ｃの全押し操作は、押して直ぐにレリーズボタン１１２ｃが離されるものとする。また、図４（ｂ）に示したように、撮影された静止画ＩＭＧ１は、表示部１１０に表示用の画像ＩＭＧｄ１として表示される。
【００５５】
（ステップＳ１１１）制御部１０９の領域変換部１５４は、ステップＳ１１０で撮影されたアスペクト比がｈ１：ｗ１（４：３）の静止画ＩＭＧ１または表示部１１０に表示されているアスペクト比がｈ１：ｗ１（４：３）の表示画像（ＦＬｄ３，ＦＬｄ４）の領域をアスペクト比がｈ２：ｗ１（１６：９）の画像領域に変換して動画データを作成する（図４の動画データＩＭＧ１’）。
【００５６】
（ステップＳ１１２）制御部１０９の記録制御部１５３は、ステップＳ１１１で領域変換して作成された動画データＩＭＧ１’をステップＳ１０４で記録される動画フレームに時間的に連続するように動画フレームＦＬ５として挿入し、メモリカードＩ／Ｆ１１１に装着されているメモリカード１１１ａに記録する。例えば図４（ｃ）の場合は、動画フレームＦＬ１，ＦＬ２，ＦＬ６はステップＳ１０４で記録される動画フレームに相当し、レリーズボタン１１２ｃが半押し中の動画フレームＦＬ３，ＦＬ４と、レリーズボタン１１２ｃが全押し後の動画フレームＦＬ５は、ステップＳ１１１で領域変換された後、本ステップＳ１１２で記録される動画フレームに相当する。
【００５７】
（ステップＳ１１３）ステップＳ１０２と同様に、制御部１０９の撮影制御部１５１は、撮像素子１０５の読み出しモードを第１領域に設定する。
【００５８】
（ステップＳ１１４）ステップＳ１０３と同様に、制御部１０９の表示制御部１５２は、撮像素子１０５から読み出した第１領域の画像を表示部１１０に表示する。
【００５９】
（ステップＳ１１５）制御部１０９の撮影制御部１５１は、ユーザが操作部１１２の動画ボタン１１２ｂを押下したか否かを判別する。そして、動画ボタン１１２ｂが押下された場合はステップＳ１１６に進み、動画ボタン１１２ｂが押下されていない場合はステップＳ１０４に戻る。尚、ステップＳ１０１で説明したように、動画ボタン１１２ｂは、押す毎に動画撮影開始と終了とを交互に繰り返すよう制御部１０９によって制御される。
【００６０】
（ステップＳ１１６）制御部１０９の撮影制御部１５１は、動画撮影を終了する。
【００６１】
このように、本実施形態に係る電子カメラ１０１は、動画撮影中にアスペクト比が動画と異なる静止画撮影を行う場合に、レリーズボタン１１２ｃを半押しすることで撮影しようとする静止画の画角を表示部１１０で確認することができる。また、記録される動画データのアスペクト比は領域変換されて常に１６：９になるので、撮影された動画は常に同じ画角で再生され、利用者は違和感なく動画を鑑賞することができる。
【００６２】
［応用例１］
次に、本実施形態の応用例１について説明する。先に説明したように、静止画はミラー部１０３を上下し且つメカニカルシャッタ１０４を開閉して撮影を行い、動画はミラー部１０３を跳ね上げた状態にし且つメカニカルシャッタ１０４を開放状態にして電子シャッタで撮影が行われる。このため、静止画の撮影時には、ミラー部１０３の上げ下げや露出制御などに時間が掛かるため、撮影された静止画から作成された動画フレームと直前の動画フレームとの時間遅延が大きくなる恐れがある。このような場合に動画再生を行うとフレームが飛ぶように見えるため鑑賞者に違和感を与えてしまう。
【００６３】
そこで、制御部１０９の警告部１５５は、撮影された静止画と直前の動画フレームとの差分が予め設定した閾値以上である場合に警告を出力する。警告の方法は、先に説明したように、音，ＬＥＤおよび表示部１１０への警告メッセージ表示などを用いる。この様子を図５に示す。図５は、図４と同様の図であるが、レリーズボタン１１２ｃが全押しされてから静止画ＩＭＧ２がバッファメモリ１０８に取り込まれるまで遅延時間Δｔがある時の様子を描いた図である。撮影者は、直前の動画フレームＦＬ４、つまり表示部１１０に表示される画像フレームＦＬｄ４を見てレリーズボタン１１２ｃを全押しするが、実際に撮影される静止画ＩＭＧ２は遅延時間Δｔ後の画像になってしまう。このため、高速に移動している自動車などの被写体を撮影する場合は、シャッタチャンスを逃してしまう可能性がある。そこで、制御部１０９の警告部１５５は、撮影された静止画ＩＭＧ２と直前の動画フレームＦＬ４との差分を求め、その差分値が予め設定した閾値以上である場合に警告を出力する。尚、差分値の求め方は、例えば静止画と直前の動画フレームの同じ画素位置における画素値の差分の絶対値を求め、この絶対値を全画面または特定部分の複数画素の平均値を差分値とする方法が考えられる。或いは、動画の動きベクトルを求める方法を用いて、動きベクトルの大きさが閾値以上であるか否かで判別するようにしても構わない。
【００６４】
次に、先に説明した図３のフローチャートにおいて、制御部１０９の警告部１５５が警告を行う場合の処理の流れについて図６を用いて説明する。図６のフローチャートは図３のフローチャートのステップＳ１１０とステップＳ１１１との間を抽出した図で、その他の部分の処理は図３のフローチャートと同じである。
【００６５】
図６において、ステップＳ１１０で静止画記録を行った後、制御部１０９は以下の処理を行う。
【００６６】
（ステップＳ２０１）制御部１０９の警告部１５５は、撮影された静止画と直前の動画フレームとの差分が予め設定した閾値以上であるか否かを判別する。そして、差分が閾値以上である場合はステップＳ２０２に進み、差分が閾値未満である場合はステップＳ１１１に進む。
【００６７】
（ステップＳ２０２）制御部１０９の警告部１５５は、音，ＬＥＤおよび表示部１１０への警告メッセージ表示などで警告を出力する。
【００６８】
このようにして、応用例１の電子カメラ１０１は、動画撮影中に撮影した静止画が直前の動画フレームと大きく異なる場合に撮影者に警告を出力するので、撮影者に撮影した静止画の確認を促すことができ、撮影者は必要に応じて撮影のやり直しを行うことができる。
【００６９】
［応用例２］
次に、本実施形態の応用例２について説明する。応用例１の電子カメラ１０１は、動画撮影中に撮影した静止画が直前の動画フレームと大きく異なる場合に撮影者に警告を出力するようになっていたが、撮り直しができない被写体である場合に問題となる。そこで、本応用例２では、制御部１０９は、撮影された静止画と直前の動画フレームとの差分が予め設定した閾値以上である場合に、直前に撮影された表示用の画像フレームと撮影された静止画とを表示部１１０に表示して、そのいずれかを撮影者が選択し、選択された方の画像を静止画としてメモリカード１１１ａに記録する。尚、本応用例２では撮影された静止画は直ぐにメモリカード１１１ａには書き込まず、撮影者が選択するまでバッファメモリ１０８に一時的に保持しておく。
【００７０】
次に、制御部１０９が行う応用例２の処理の流れについて図７を用いて説明する。図７のフローチャートは、図３のフローチャートのステップＳ１０８とステップＳ１１１との間を抽出した図で、その他の部分の処理は図３のフローチャートと同じである。また、ステップＳ２０１の処理は図６のフローチャートのステップＳ２０１と同じ処理を行う。
【００７１】
図７において、ステップＳ１０８でレリーズボタン１１２ｃの全押しを検出した後、制御部１０９は以下の処理を行う。
【００７２】
（ステップＳ２００）図３のステップＳ１１０と同様に、制御部１０９は、ミラー部１０３とメカニカルシャッタ１０４を制御し、撮像素子１０５で静止画を撮影してバッファメモリ１０８に取り込む（静止画予備記録）。尚、バッファメモリ１０８に取り込まれた静止画は、先に説明したような所定の画像処理が施される。また、この時点ではメモリカード１１１ａには記録されない。
【００７３】
（ステップＳ２０１）制御部１０９は、撮影された静止画と直前の動画フレームとの差分が予め設定した閾値以上であるか否かを判別する。そして、差分が閾値以上である場合はステップＳ２０３に進み、差分が閾値未満である場合はステップＳ２０４に進む。
【００７４】
（ステップＳ２０３）制御部１０９は、レリーズボタン１１２ｃが全押しされる直前に撮影された表示用の画像フレームと、撮影された静止画とを表示部１１０に表示する。例えば図５の場合は、表示用の画像フレームＦＬｄ４と静止画ＩＭＧ２とが表示部１１０に表示される。この時、表示部１１０の画面には、例えば「記録する静止画を選択して下さい。」などのメッセージを表示する。そして、撮影者は、操作部１１２の十字キー（不図示）などを操作して画像フレームＦＬｄ４または静止画ＩＭＧ２を選択する。
【００７５】
（ステップＳ２０４）制御部１０９の記録制御部１５３は、ステップＳ２０３で選択された画像を静止画としてメモリカード１１１ａに記録する。
【００７６】
このように、電子カメラ１０１は、動画撮影中に撮影した静止画が直前の動画フレームと大きく異なる場合に、撮影者は直前の動画フレームと撮影された静止画とを画面で確認できるので、例えば図５の静止画ＩＭＧ２のように被写体が適切に撮影画角内に捉えられていない場合は、表示用の画像フレームＦＬｄ４を撮影した静止画として記録する。これにより、撮影のやり直しができない被写体の場合でも、シャッタチャンスを逃すことなく静止画を記録することができる。特に、表示用の画像フレームＦＬｄ４は、静止画と同じアスペクト比なので、撮影者に違和感を与えることがない。但し、表示用の画像フレームは電子シャッタで撮影されている点が本撮影される静止画とは異なり、多少の画質劣化はあるかも知れないが、シャッタチャンスを逃すことはなくなる。
【００７７】
尚、上記の各実施形態では、動画のアスペクト比を１６：９、静止画のアスペクト比を４：３としたが、動画と静止画とが異なるアスペクト比であれば各実施形態の構成および動作は、同様に適用することができる。
【００７８】
以上、本発明に係る電子カメラの実施形態について説明してきたが、その精神またはその主要な特徴から逸脱することなく他の多様な形で実施することができる。そのため、上述した実施形態はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【符号の説明】
【００７９】
１０１・・・電子カメラ            １０２・・・レンズ部
１０３・・・ミラー部              １０４・・・メカニカルシャッタ
１０５・・・撮像素子              １０６・・・Ａ／Ｄ変換部
１０７・・・システムバス          １０８・・・バッファメモリ
１０９・・・制御部                １１０・・・表示部
１１１・・・メモリカードＩ／Ｆ    １１２・・・操作部
１１３・・・メモリ                １５１・・・撮像制御部
１５２・・・表示制御部            １５３・・・記録制御部
１５４・・・領域変換部            １５５・・・警告部
１１１ａ・・・メモリカード        １１２ａ・・・電源ボタン
１１２ｂ・・・動画ボタン          １１２ｃ・・・レリーズボタン
【図１】
0005593743.tif 000002
【図２】
0005593743.tif 000003
【図３】
0005593743.tif 000004
【図４】
0005593743.tif 000005
【図５】
0005593743.tif 000006
【図６】
0005593743.tif 000007
【図７】
0005593743.tif 000008